(57)【要約】  モバイル電子装置の第２のディスプレイモジュールとともに使用するためのユーザインターフェース（ＵＩ）。このＵＩを用いると、ユーザが、モバイル電子装置の主要部分のオペレーティングシステム（ＯＳ）を起動することなく、アプリケーションデータにアクセスすることが可能になる。このＵＩを用いると、ユーザが、アプリケーションを起動せずに、ＯＳと、関連する低電力アプリケーションとを起動することによってアプリケーションデータにアクセスすることを可能にすることができる。このＵＩはまた、モバイル電子装置の無線コンポーネントを使用不可にしている間に、ユーザが他の非無線コンポーネントを使用することを可能にする簡単な機構も提供する。第２のディスプレイモジュールをモバイル電子装置の主要部分から取り外したときに、そのＵＩを自動的に起動することもできる。モバイル電子装置のメインディスプレイのＵＩが停止（または起動）されたことに応答して、このＵＩを自動的に起動（または停止）することもできる。
2007506196.tif 000002
【特許請求の範囲】
【請求項１】
モバイル電子装置の第２のディスプレイモジュールのディスプレイによって表示されるユーザインターフェース（ＵＩ）であって、前記モバイル電子装置は前記第２のディスプレイモジュールの外部に存在するメインディスプレイおよびプロセッサユニットを有し、前記プロセッサユニットはオペレーティングシステム（ＯＳ）を有し、前記ユーザインターフェースは、
前記ディスプレイによってグラフィカルに表示される複数のボタンであって、前記モバイル電子装置上で選択的に起動することができる複数のアプリケーションに対応した複数のボタンを備え、前記複数のボタンのうちの１つのボタンの起動により、前記プロセッサユニットの前記ＯＳを起動することなく、前記起動されたボタンに対応する前記アプリケーションのデータにユーザがアクセスすることが選択的に可能になることを特徴とするユーザインターフェース。
【請求項２】
前記複数のボタンのうちの１つのボタンの起動により、そのボタンに対応したアプリケーションを起動することなく、前記プロセッサユニットのＯＳと前記起動されたボタンに対応する前記アプリケーションに関連する低電力アプリケーションとを選択的に起動することを特徴とする請求項１に記載のＵＩ。
【請求項３】
前記複数のボタンは、ユーザによる起動に応答して前記モバイル電子装置に含まれるすべての無線通信コンポーネントを使用不可にするアプリケーションに対応した１つのボタンを含むことを特徴とする請求項１に記載のＵＩ。
【請求項４】
前記モバイル電子装置の前記無線通信コンポーネントが使用不可である間に、前記モバイル電子装置の他のコンポーネントを選択的に動作させることを特徴とする請求項３に記載のＵＩ。
【請求項５】
前記第２のディスプレイモジュールが前記モバイル電子装置から取り外されたことに応答して、前記ＵＩが自動的に起動されることを特徴とする請求項１に記載のＵＩ。
【請求項６】
前記ＵＩの表示方向は選択的に変更することができることを特徴とする請求項１に記載のＵＩ。
【請求項７】
前記ＵＩの表示方向は、前記第２のディスプレイモジュールの物理的な方向の変化に応答して自動的に変化することを特徴とする請求項６に記載のＵＩ。
【請求項８】
前記第２のディスプレイモジュールが前記モバイル電子装置から取り外されたことに応答して、前記ＵＩの表示方向が自動的に変化することを特徴とする請求項６に記載のＵＩ。
【請求項９】
前記モバイル電子装置の前記メインディスプレイが起動されたことに応答して、前記第２のディスプレイモジュールの前記ＵＩが起動しているときは自動的に停止させることを特徴とする請求項１に記載のＵＩ。
【請求項１０】
前記モバイル電子装置の前記メインディスプレイが停止されたことに応答して、前記第２のディスプレイモジュールの前記ＵＩが停止しているときは自動的に起動させることを特徴とする請求項１に記載のＵＩ。
【請求項１１】
モバイル電子装置の第２のディスプレイモジュールによって実施される方法であって、前記モバイル電子装置は前記第２のディスプレイユニットの外部に存在するメインディスプレイおよびプロセッサユニットを有し、前記プロセッサユニットはオペレーティングシステム（ＯＳ）を有し、前記方法は、
前記第２のディスプレイモジュールのディスプレイ上に、前記モバイル電子装置上で選択的に起動できる複数のアプリケーションに対応する複数のボタンを有するＵＩを表示すること、および
前記複数のボタンのうちの１つのボタンの起動に応答して、前記プロセッサユニットの前記ＯＳを起動することなく、前記モバイル電子装置上に存在しかつ前記第２のディスプレイモジュールの外部に存在するアプリケーションに関連するデータにアクセスすること
を備えることを特徴とする方法。
【請求項１２】
前記複数のボタンのうちの１つのボタンの起動により、前記ＯＳと前記起動されたボタンに対応する前記アプリケーションに関連する低電力アプリケーションとを選択的に起動し、前記低電力アプリケーションを、それに対応するアプリケーションを起動することなく起動することを特徴とする請求項１１に記載の方法。
【請求項１３】
前記複数のボタンは、ユーザによる起動に応答して前記モバイル電子装置に含まれるすべての無線通信コンポーネントを使用不可にするアプリケーションに対応した１つのボタンを含むことを特徴とする請求項１１に記載の方法。
【請求項１４】
前記モバイル電子装置の前記無線通信コンポーネントが使用不可である間に、前記モバイル電子装置の他のコンポーネントを選択的に動作させることを特徴とする請求項１３に記載の方法。
【請求項１５】
前記第２のディスプレイモジュールが前記モバイル電子装置から取り外されたことに応答して、前記ＵＩを自動的に起動させることをさらに備えることを特徴とする請求項１１に記載の方法。
【請求項１６】
前記第２のディスプレイモジュール内部の前記ＵＩの表示方向を変更することをさらに備えることを特徴とする請求項１１に記載の方法。
【請求項１７】
前記第２のディスプレイモジュールの方向の変化に応答して、前記ＵＩの表示方向を自動的に変化させることをさらに備えることを特徴とする請求項１６に記載の方法。
【請求項１８】
前記第２のディスプレイモジュールが前記モバイル電子装置から取り外されたことに応答して、前記ＵＩの表示方向を自動的に変化させることをさらに備えることを特徴とする請求項１６に記載の方法。
【請求項１９】
前記モバイル電子装置の前記メインディスプレイが起動されたことに応答して、前記第２のディスプレイモジュールの前記ＵＩを自動的に停止させることをさらに備えることを特徴とする請求項１１に記載の方法。
【請求項２０】
前記モバイル電子装置の前記メインディスプレイが停止されたことに応答して、前記第２のディスプレイモジュールの前記ＵＩを自動的に起動させることをさらに備えることを特徴とする請求項１１に記載の方法。
【請求項２１】
モバイル電子装置の第２のディスプレイモジュールによって実施される命令を含むコンピュータ可読媒体であって、前記モバイル電子装置は前記第２のディスプレイモジュールの外部に存在するメインディスプレイおよびプロセッサユニットを有し、前記プロセッサユニットはオペレーティングシステム（ＯＳ）を有し、前記命令は、前記第２のディスプレイモジュールによって実施されたときに、
前記モバイル電子装置上で選択的に起動できる複数のアプリケーションに対応する複数のボタンを有するＵＩを前記第２のディスプレイモジュールのディスプレイ上に表示する動作と、
前記複数のボタンのうちの１つのボタンの起動に応答して、前記プロセッサユニットの前記ＯＳを起動することなく、前記モバイル電子装置上に存在しかつ前記第２のディスプレイモジュールの外部に存在するアプリケーションに関連するデータにアクセスする動作と
を含む諸動作を前記第２のディスプレイモジュールに実施させることを特徴とするコンピュータ可読媒体。
【請求項２２】
前記複数のボタンのうちの１つのボタンの起動により、前記ＯＳと前記起動されたボタンに対応する前記アプリケーションに関連する低電力アプリケーションとを選択的に起動し、前記低電力アプリケーションを、それに対応するアプリケーションを起動することなく起動することを特徴とする請求項２１に記載のコンピュータ可読媒体。
【請求項２３】
前記複数のボタンは、ユーザによる起動に応答して前記モバイル電子装置に含まれるすべての無線通信コンポーネントを使用不可にするアプリケーションに対応した１つのボタンを含むことを特徴とする請求項２１に記載のコンピュータ可読媒体。
【請求項２４】
前記モバイル電子装置の前記無線通信コンポーネントが使用不可である間に、前記モバイル電子装置の他のコンポーネントを選択的に動作させることを特徴とする請求項２３に記載のコンピュータ可読媒体。
【請求項２５】
前記諸動作は、前記第２のディスプレイモジュールが前記モバイル電子装置から取り外されたことに応答して、前記ＵＩを自動的に起動させる動作をさらに備えることを特徴とする請求項２１に記載のコンピュータ可読媒体。
【請求項２６】
前記諸動作は、前記第２のディスプレイモジュール内部の前記ＵＩの表示方向を選択的に変更する動作をさらに備えることを特徴とする請求項２１に記載のコンピュータ可読媒体。
【請求項２７】
前記諸動作は、前記第２のディスプレイモジュールの方向の変化に応答して、前記ＵＩの表示方向を自動的に変化させる動作をさらに備えることを特徴とする請求項２６に記載のコンピュータ可読媒体。
【請求項２８】
前記諸動作は、前記第２のディスプレイモジュールが前記モバイル電子装置から取り外されたことに応答して、前記ＵＩの表示方向を自動的に変化させる動作をさらに備えることを特徴とする請求項２６に記載のコンピュータ可読媒体。
【請求項２９】
前記諸動作は、前記モバイル電子装置の前記メインディスプレイが起動されたことに応答して、前記第２のディスプレイモジュールの前記ＵＩを自動的に停止する動作をさらに備えることを特徴とする請求項２１に記載のコンピュータ可読媒体。
【請求項３０】
前記諸動作は、前記モバイル電子装置の前記メインディスプレイが停止されたことに応答して、前記第２のディスプレイモジュールの前記ＵＩを自動的に起動させる動作をさらに備えることを特徴とする請求項２１に記載のコンピュータ可読媒体。
【請求項３１】
第２のディスプレイモジュール、ならびに前記第２のディスプレイモジュールの外部に存在するメインディスプレイおよびプロセッサユニットを有するモバイル電子装置を備えるシステムであって、前記プロセッサユニットはオペレーティングシステム（ＯＳ）を有し、前記第２のディスプレイモジュールは、
前記モバイル電子装置上で選択的に起動することができる複数のアプリケーションに対応した複数のボタンを表示する手段と、
前記複数のボタンのうちの１つのボタンの起動に応答して、前記プロセッサユニットの前記ＯＳを起動することなく、前記モバイル電子装置上に存在するアプリケーションに関連するデータにアクセスする手段と
をさらに含むことを特徴とするシステム。
【請求項３２】
前記データにアクセスする手段が、前記ＯＳと前記起動されたボタンに対応する前記アプリケーションに関連する低電力アプリケーションとを選択的に起動し、前記低電力アプリケーションが、それに対応するアプリケーションを起動することなく起動されることを特徴とする請求項３１５に記載のシステム。
【請求項３３】
前記表示手段は、ユーザによる起動に応答して前記モバイル電子装置に含まれるすべての無線通信コンポーネントを使用不可にするアプリケーションに対応した１つのボタンを含むことを特徴とする請求項３１に記載のシステム。
【請求項３４】
前記モバイル電子装置の前記無線通信コンポーネントが使用不可である間に、前記モバイル電子装置の他のコンポーネントを選択的に動作させることを特徴とする請求項３３に記載のシステム。
【請求項３５】
前記第２のディスプレイモジュールが前記モバイル電子装置から取り外されたことに応答して、前記表示手段を自動的に起動させる手段をさらに備えることを特徴とする請求項３１に記載のシステム。
【請求項３６】
前記第２のディスプレイモジュール内部の前記表示手段の表示方向を選択的に変更する手段をさらに備えることを特徴とする請求項３１に記載のシステム。
【請求項３７】
前記表示方向を選択的に変更する手段は、前記第２のディスプレイモジュールが前記モバイル電子装置から取り外されたことに応答して、前記表示手段の前記表示方向を自動的に変更することを特徴とする請求項３６に記載のシステム。
【請求項３８】
前記モバイル電子装置の前記メインディスプレイが起動されたことに応答して、前記表示手段を自動的に停止させる手段をさらに備えることを特徴とする請求項３１に記載のシステム。
【請求項３９】
前記モバイル電子装置の前記メインディスプレイが停止されたことに応答して、前記表示手段を自動的に起動させる手段をさらに備えることを特徴とする請求項３１に記載のシステム。
【請求項４０】
メインディスプレイを備える第１の部分と、
前記第１の部分に関節をなして取り付けられ、オペレーティングシステム（ＯＳ）を実行する主プロセッサユニットを有する第２の部分であって、前記第１および第２の部分を、前記第２の部分が前記メインディスプレイをカバーするように相対的に配置することができる第２の部分と、
前記第２の部分に結合され、ＵＩをグラフィカルに表示する第２のディスプレイを有する第２のディスプレイモジュールとを備えたモバイル電子装置であって、前記ＵＩは、前記第２の部分で選択的に起動することができる複数のアプリケーションに対応した複数のボタンを含み、前記複数のボタンのうちの１つのボタンの起動により、前記ＯＳを起動することなく、前記起動されたボタンに対応する前記アプリケーションのデータにユーザが選択的にアクセスすることが可能になることを特徴とするモバイル電子装置。
【請求項４１】
前記複数のボタンのうちの１つのボタンの起動により、そのボタンに対応するアプリケーションを起動することなく、前記ＯＳと前記起動されたボタンに対応する前記アプリケーションに関連する低電力アプリケーションとを選択的に起動することを特徴とする請求項４０に記載のモバイル電子装置。
【請求項４２】
前記複数のボタンは、ユーザによる起動に応答して前記モバイル電子装置に含まれるすべての無線通信コンポーネントを使用不可にするアプリケーションに対応した１つのボタンを含むことを特徴とする請求項４０に記載のモバイル電子装置。
【請求項４３】
前記第２のディスプレイモジュールが前記第２の部分から取り外されたことに応答して、前記ＵＩを自動的に起動させることを特徴とする請求項４０に記載のモバイル電子装置。
【請求項４４】
前記第２のディスプレイモジュールが前記モバイル電子装置から取り外されたことに応答して、前記ＵＩの表示方向を自動的に変化させることを特徴とする請求項４３に記載のモバイル電子装置。
【請求項４５】
前記メインディスプレイが起動されたことに応答して、前記第２のディスプレイモジュールの前記ＵＩを自動的に停止させることを特徴とする請求項４０に記載のモバイル電子装置。
【請求項４６】
前記メインディスプレイが停止されたことに応答して、前記第２のディスプレイモジュールの前記ＵＩを自動的に起動させることを特徴とする請求項４０に記載のモバイル電子装置。
【発明の詳細な説明】
【技術分野】
【０００１】
本出願は、２００３年９月１８日に出願された「ＳＯＦＴＷＡＲＥ  ＡＮＤ  ＨＡＲＤＷＡＲＥ  ＦＥＡＴＵＲＥＳ  ＦＯＲ  ＭＩＮＩ−ＰＣ」と題する米国仮出願第６０／５０４１６５号明細書の利益を主張するものであり、その内容を参照により本明細書に組み込む。
【０００２】
本開示は一般に電子装置に関し、より詳細にはハンドヘルド携帯型コンピュータなどのモバイル電子装置の第２のディスプレイモジュールで使用されるユーザインターフェースに関するものである。ただし、これらに限定されるものではない。
【背景技術】
【０００３】
モバイル電子装置は一般に、視覚情報をユーザに提供するユーザインターフェース（ＵＩ）を表示するディスプレイを含む。ＵＩを用いることで、一般にユーザがモバイル電子装置に制御およびデータ情報を入力することが可能になる。例えば、（モバイル電子装置の一種である）携帯電話は一般に、ＵＩを提供するための液晶ディスプレイ（ＬＣＤ）およびキーパッドを備えており、それらを用いることでユーザが電話をかけ、電話番号を格納し、格納された電話番号を見つけ出すことなどが可能になる。
【０００４】
「クラムシェル」設計を採用しているモバイル電子装置もあり、その設計では、装置を「開き」かつ「閉じる」ことができるように、モバイル電子装置はヒンジ機構によって取り付けられた２つの部分に分離されている。代表的なクラムシェル設計においては、一方にディスプレイが含まれ、他方にキーパッドが含まれる。開いたときには、ディスプレイとキーパッドがユーザの目に見える。閉じたときには、一般にディスプレイとキーパッドは、ある程度外部環境から保護されるように互いに対面する位置に置かれており、ユーザの目には見えない。
【０００５】
【特許文献１】米国特許出願第１０／３３８８０２号明細書
【特許文献２】米国特許出願第１０／３３８８１５号明細書
【特許文献３】米国特許出願第１０／３３８７６１号明細書
【特許文献４】米国特許出願第１０／３３８７９１号明細書
【特許文献５】米国特許出願第１０／８５７６２８号明細書
【特許文献６】米国特許出願第１０／８７１８７０号明細書
【発明の開示】
【発明が解決しようとする課題】
【０００６】
一部のクラムシェル設計では、モバイル電子装置は、その装置が閉じられているときでもユーザの目に見える第２のディスプレイを備えている。この第２のディスプレイは、一般に機能が制限されている。例えば、クラムシェルタイプの携帯電話では、時間および日付を第２のディスプレイに表示することができる。あるいは、電話の呼出しを受けたときに、携帯電話は発呼者の名前や電話番号を第２のディスプレイ上に表示することもできる。一般的な設計では、携帯電話は第２のディスプレイ上のＵＩを備えていない。
【０００７】
さらに、モバイル電子装置は一般にバッテリ駆動される。したがって、省電力も重要な設計上の考慮事項である。
【課題を解決するための手段】
【０００８】
様々な実施形態の諸態様によれば、メインディスプレイを有するモバイル電子装置の第２のディスプレイモジュールとともに使用するＵＩが提供される。一態様では、第２のディスプレイモジュールのＵＩにより、ユーザはモバイル電子装置のシステムリソース（例えば、中央演算処理装置、ネットワークデバイス、オペレーティングシステムなど）を起動せずにアプリケーションデータ（例えば、電子メールメッセージ）にアクセスすることが可能になり、一部の実施形態では省電力にも役立つ。
【０００９】
他の態様では、モバイル電子装置に存在する選択された「フル（ｆｕｌｌ）」アプリケーションは、（メインディスプレイとともに使用されるＵＩが提供する機能と比べてより単純化された機能を提供する）第２のディスプレイモジュール用ＵＩに表示される情報を提供するように最適化された低電力アプリケーションに関連するものである。第２のディスプレイモジュール用ＵＩを用いることで、ユーザはフルアプリケーションを起動せずに、関連する低電力アプリケーションを使用してアプリケーションデータにアクセスすることが可能になり、一部の実施形態では省電力に役立つ。
【００１０】
他の態様では、第２のディスプレイモジュールのＵＩは、モバイル電子装置の無線コンポーネントを停止または使用不可にする単純な機構を提供する。有利には、この態様を用いると、典型的には飛行機に搭乗した際の、飛行機の飛行中に要求されたときなどに、ユーザがモバイル電子装置の無線通信コンポーネントを容易かつ迅速に停止させることが可能になる。さらに改良して、モバイル電子装置の電源がオンのときでも無線部分を使用不可にすることも可能であり、それにより、ユーザが他の非無線コンポーネントを動作させながらモバイル電子装置を使うことが可能になる。
【００１１】
他の態様では、第２のディスプレイモジュールをモバイル電子装置の主要部分から取り外したときに、第２のディスプレイモジュールのＵＩを自動的に起動することができる。この態様をさらに改良して、第２のディスプレイモジュールの表示を、（例えば、「横長」方向から「縦長」方向に）自動的に再設定することもできる。関連する態様では、モバイル電子装置のメインディスプレイのＵＩの停止（または起動）に応答して、第２のディスプレイモジュールのＵＩを自動的に起動（または停止）することができる。
【発明を実施するための最良の形態】
【００１２】
図１〜２は、一実施形態を実装することができる一例示的モバイル電子装置、この場合はハンドヘルド携帯型コンピュータ１００を示す図である。この出願を通して、例示として携帯型コンピュータ１００を使用しているが、他の実施形態は、普通の人からは必ずしも「コンピュータ」とは見なされていない装置、または必ずしも図１〜２の携帯型コンピュータ１００と同一の携帯機能、形状、および／または外観を備えているとは限らない装置に実装することができる。例えば、無線通信装置、ディスプレイ装置、モニタ、固定型デスクトップコンピュータ、ＡＶ機器、家電機器、あるいは小型フォームファクタ（ｒｅｄｕｃｅｄ  ｆｏｒｍ  ｆａｃｔｏｒ）を備えているか、または備えていない他の電子装置などが含まれる。
【００１３】
図示のように、携帯型コンピュータ１００は、第１および第２の部分１０２および１０４をそれぞれ含むという点で、外観はラップトップコンピュータに類似している。第１の部分１０２はキーボード１１０、および内部電子部品（例えば、１つまたは複数のプロセッサ、マシン可読記憶媒体、グラフィックドライバなど）のためのハウジングを含むことができる。第２の部分１０４は、（図２に示されたような閉じた位置では）第１の部分１０２の上に折り重なっている。また、第２の部分１０４はディスプレイスクリーン１０８を含んでおり、図１に示されているように、第２の部分１０４が折り重なっておらず直立した位置にあるときに、（電子メール受信箱、電子メール、ダウンロードされた添付ファイル、および／または受信箱または電子メールフォルダ内に電子メール、添付ファイルなどが存在することを示す標識などの）情報を表示する。
【００１４】
しかし、従来のラップトップコンピュータとは異なり、携帯型コンピュータ１００の一実施形態は、容積および重量の両方に関してサイズが実質的にかなり小さい。携帯型コンピュータ１００の寸法サイズは、例えば長さ１４０ｍｍ、幅１０１ｍｍ、厚さ３０ｍｍ（閉じたとき）であり、重量はほぼ４５０ｇである。第２の部分１０４のディスプレイスクリーン１０８は、デスクトップコンピュータのモニタに匹敵する解像度である。一般に、ディスプレイスクリーン１０８のサイズ、第１の部分１０２の内部に置かれる（例えば、チップおよび回路基板などの）内蔵部品のサイズ、および（例えば、密度など）内蔵部品の戦略的な配置、その他の要因などが、携帯型コンピュータ１００の全体の形状要因に影響を与えることになる。図１〜２に示したように、携帯型コンピュータ１００は、開いた位置でも閉じた位置でもユーザの手１０６の中にしっかりと保持することができるようなサイズを有する。
【００１５】
図２はさらに、第２の部分１０４の上面（蓋（ｌｉｄ））に配置された低電力ディスプレイ１１４を備えた携帯型コンピュータ１００の一実施形態を示す。後述するように低電力ディスプレイ１１４は、第２のモジュールの一部を形成し、添付ファイルリストまたは電子メール受信箱を表示することができ、読むべき電子メールの選択、ダウンロードすべき添付ファイルの選択、あるいは他の動作を実施するための制御を提供する。
【００１６】
ＵＩの諸実施形態を実装することができる携帯型コンピュータ１００の例は、すべて２００３年１月７日に出願された、「ＳＹＳＴＥＭ  ＡＮＤ  ＭＥＴＨＯＤ  ＦＯＲ  ＨＥＡＴ  ＲＥＭＯＶＡＬ  ＦＲＯＭ  Ａ  ＨＡＮＤ−ＨＥＬＤ  ＰＯＲＴＡＢＬＥ  ＣＯＭＰＵＴＥＲ  ＷＨＩＬＥ  ＤＯＣＫＥＤ」と題する特許文献１、「ＮＡＶＩＧＡＴＩＯＮ  ＡＮＤ  ＳＥＬＥＣＴＩＯＮ  ＣＯＮＴＲＯＬ  ＦＯＲ  Ａ  ＨＡＮＤ−ＨＥＬＤ  ＰＯＲＴＡＢＬＥ  ＣＯＭＰＵＴＥＲ」と題する特許文献２、「ＨＥＡＴ  ＤＩＳＳＩＰＡＴＩＯＮ  ＦＲＯＭ  Ａ  ＨＡＮＤ−ＨＥＬＤ  ＰＯＲＴＡＢＬＥ  ＣＯＭＰＵＴＥＲ」と題する特許文献３、および「ＫＥＹＢＯＡＲＤ  ＷＩＴＨ  ＭＯＵＳＥ  ＦＯＲ  Ａ  ＨＡＮＤ−ＨＥＬＤ  ＰＯＲＴＡＢＬＥ  ＣＯＭＰＵＴＥＲ」と題する特許文献４に開示されている。
【００１７】
図３およびそれに付随する議論は、諸実施形態を実装することができる適切なコンピュータ環境についての説明を提供するものである。必須ではないが、諸実施形態はハードウェア、および（携帯型コンピュータ１００などの）コンピュータによって実行されるプログラムアプリケーションモジュール、オブジェクト、ドライバ、サービス、マクロなどのコンピュータ実行可能命令の一般的な環境で説明される。諸実施形態は、他のコンピュータシステムおよび／またはネットワーク構成を用いても同様に実施することができる。
【００１８】
図３はコンピュータシステム３００を示し、詳細には携帯型コンピュータ１００の一実施形態をより詳細に示すものである。コンピュータシステム３００は、携帯型コンピュータ１００およびサーバコンピューティングシステム３０２を含む。サーバコンピューティングシステム３０２を１つまたは複数のネットワーク上の位置、例えば１つまたは複数のインターネットサービスプロバイダ（ＩＳＰ）の位置に配置して、電子メール情報を格納しかつ提供するとともに、その他の情報を携帯型コンピュータ１００に提供することができる。
【００１９】
携帯型コンピュータ１００は、高電力処理用の処理ユニット３０４、少なくとも１つのシステムメモリ３０６、ならびにシステムメモリ３０６など様々なシステムコンポーネントを処理ユニット３０４に結合するシステムバス３０８を含む。処理ユニット３０４は、１つまたは複数の中央演算処理装置（ＣＰＵ）、デジタル信号プロセッサ（ＤＳＰ）、グラフィックプロセッサ、特定用途向け集積回路（ＡＳＩＣ）など、任意の論理処理ユニットとすることが可能である。
【００２０】
一実施形態では、携帯型コンピュータ１００はまた、低電力処理のための低電力処理ユニット３１０を含むことができる。この低電力処理ユニット３１０は、処理ユニット３０４と同じオペレーティングシステムで動作させることもできるが、必ずしも同じオペレーティングシステムで動作させる必要はない。例えば、一実施形態では、処理ユニット３０４と低電力処理ユニット３１０に、別々のオペレーティングシステム、メモリ、アプリケーション、その他のコンポーネントを提供することができる。一実施形態では、処理ユニット３０４と低電力処理ユニット３１０が個別の専用コンポーネントを備えるのではなく、特定のコンポーネントを共有することも可能である。
【００２１】
システムバス３０８には、メモリコントローラを備えたメモリバス、ペリフェラルバス、ローカルバスなど、任意の適切なバス構造またはアーキテクチャを使用することができる。システムメモリ３０６は、１つまたは複数の読出し専用メモリ（ＲＯＭ）３１０、および１つまたは複数のランダムアクセスメモリ（ＲＡＭ）３１２を含むことができる。一実施形態では、個別のＲＯＭ３１０、ＲＡＭ３１２、および／または他のメモリを低電力ディスプレイ１１４の専用にすることができる。例えば、ＢＩＯＳ３１４は、ＲＯＭ３１０に格納することができ、起動時などに携帯用コンピュータ１００内部の要素間での情報転送を支援するルーチンを含む。低電力モードに関連するＢＩＯＳ３１４の一実施形態の動作については、以下でより詳細に説明する。
【００２２】
携帯型コンピュータ１００には、ハードディスク３１８に読み書きするためのハードディスクドライブ３１６を含めることができる。ハードディスクドライブ３１６は、システムバス３０８を介して処理ユニット３０４と通信することができる。ハードディスクドライブ３１６は、ハードディスクドライブ３１６とバス３０８の間に結合されたインターフェースまたはコントローラ（図示せず）を含むことができる。ハードディスクドライブ３１６とそれに関連するハードディスク３１８は、携帯型コンピュータ１００のためのコンピュータ可読命令、データ構造、プログラムモジュール、その他のデータなどについての不揮発性または永続性の記憶を提供する。図示の携帯型コンピュータ１００はハードディスクドライブ３１６とハードディスク３１８を使用しているが、コンピュータによってアクセス可能なデータを格納することができる他の種類のドライブおよびコンピュータ可読媒体、例えばコンパクトディスク（ＣＤ）、磁気カセット、フラッシュメモリカード、デジタルビデオディスク（ＤＶＤ）、ベルヌーイカートリッジ（Ｂｅｒｎｏｕｌｌｉ  ｃａｒｔｒｉｄｇｅ）、ＲＡＭ、ＲＯＭ、スマートカードなどを使用することもできる。一実施形態では、ハードディスクドライブ３１６および／または他のドライブは、携帯型コンピュータ１００自体のハウジングの内部には組み込まれておらず、有線または無線通信インターフェースを介してアクセス可能な外部装置である。
【００２３】
ハードディスクドライブ３１６をハードディスク３１８とともに動作させ、ＭＰ３ファイルや他の種類のオーディオファイルなどのメディアファイルを格納することができる。一実施形態では、これらのメディアファイルは、高電力モードまたは低電力モードの間にハードディスク３１８から読み出すことができるが、低電力モードの間にハードディスク３１８にアクセスしてメディアファイルを読み出す試みは、低電力モードの間は、可能な限り最小限に抑えられる。
【００２４】
システムメモリ３０６を使用して、例えば１つまたは複数のオペレーティングシステム３２０、１つまたは複数のアプリケーションプログラム３２２（例えば、電子メールプログラム、低電力メディアプレーヤ、インストールメディアプレーヤ、高電力モードまたは低電力モードで動作可能な他のアプリケーションなど）、他のプログラムまたはモジュール３２４、プログラムデータ３２６など様々なプログラムモジュールを格納することができる。使用可能なオペレーティングシステム３２０の例には、限定の意味ではなく、米国ワシントン州レドモンドのＭｉｃｒｏｓｏｆｔ  Ｃｏｒｐｏｒａｔｉｏｎから市販されているＷｉｎｄｏｗｓ（登録商標）ＸＰ（商標）がある。Ｗｉｎｄｏｗｓ（登録商標）ＸＰ（商標）または他の適切なオペレーティングシステムは電源管理サブシステムを含むことができる。一実施形態では低電力モードに関連する電源管理機能が提供され、その機能によりオペレーティングシステム３２０の電源管理サブシステムによって提供される電源管理機能を補足する。
【００２５】
他のプログラム／モジュール３２４は、ライブラリ、アプリケーションプログラムインターフェース（ＡＰＩ）、オブジェクト、その他のコンポーネントなどを含むことができる。一実施形態では、プログラムデータ３２６は、キャッシュされた曲、または他のメディアファイルなどのキャッシュデータを含むことができる。したがって、システムメモリ３０６の一部として、メディアファイルを格納するための（オペレーティングシステムキャッシュ、ＲＡＭ３１２、または他のキャッシュもしくは非永続性の記憶位置など）、揮発性または非永続性メモリ機能が提供される。
【００２６】
プログラムデータ３２６は、データ構造、ファイル、または他のデータ形式として、キャッシュ、データベース、またはシステムメモリ３０６と一体の、もしくは分離された他の記憶ユニットに格納することができる。一実施形態では、プログラムデータ３２６はまた、携帯型コンピュータ１００の特定のサービス、ソフトウェア、およびハードウェアの電力要件を示す、電力プロファイルおよび他の電力管理データを含む。一実施形態では、この電力管理データを使用して、低電力モードの間に携帯型コンピュータ１００のどのコンポーネントをＯＮに維持し、またはＯＦＦにするか、コンポーネントをＯＮまたはＯＦＦに維持する時間の長さ、様々なコンポーネントをＯＮまたはＯＦＦにするためのシーケンスなどを決定し、他のパラメータや設定などを決定する。低電力モードの携帯型コンピュータ４００を管理し制御するために対話する他のプログラム／モジュール３２４、およびアプリケーションプログラム３２２の動作（より詳細には、低電力モードアプリケーションプログラムの動作を管理し制御する動作）に関する詳細な議論は、２００４年５月２８日に出願された「ＭＥＴＨＯＤ  ＡＮＤ  ＡＰＰＡＲＡＴＵＳ  ＦＯＲ  ＯＰＥＲＡＴＩＮＧ  ＡＮ  ＥＬＥＣＴＲＯＮＩＣ  ＤＥＶＩＣＥ  ＩＮ  Ａ  ＬＯＷ  ＰＯＷＥＲ  ＭＯＤＥ」と題する、係属中の特許文献５に含まれている。この特許の内容を参照により本明細書に組み込む。
【００２７】
携帯型コンピュータ１００はまた、携帯型コンピュータ１００が各ソースにアクセスし、そのソースとデータを交換することを可能にするウェブブラウザ３２８を含むこともできる。ソースとは、インターネットのウェブサイト、企業のイントラネット、エクストラネット、および／または以下で説明する他のネットワーク、ならびにサーバコンピュータ上の他のサーバアプリケーションなどのことである。図面を見やすくするために、図３ではブラウザ３２８は単独で示されている。様々な実施形態によれば、ブラウザ３２８は、アプリケーションプログラム３２２の１つ、他のプログラム／モジュール３２４の１つを構成することができ、かつ／または何らかの方法でオペレーティングシステム３２０に組み込むこともできる。図３では、オペレーティングシステム３２０、アプリケーションプログラム３２２、他のプログラム／モジュール３２４、プログラムデータ３２６、およびブラウザ３２８はシステムメモリ３０６に格納されるように示されているが、他の実施形態ではハードディスクドライブ３１６のハードディスク３１８、および／または他のコンピュータ可読媒体に格納することができる。さらに、システムメモリ３０６に格納されているように示された様々な要素は、必ずしも同じ物理メモリ上に存在する必要はない。例えば、低電力処理ユニット３１０および低電力ディスプレイ１１４を携帯型コンピュータ１００から動作可能に取り外すことができるか、あるいは携帯型コンピュータ１００の他の構成要素と独立に動作させることができる実施形態においては、（オペレーティングシステム、ＲＡＭ、ＲＯＭ、アプリケーション、およびその上に格納された他の要素を含む）別個のメモリを、低出力処理ユニット３１０および低電力ディスプレイ１１４とともに携帯型コンピュータ１００から動作可能に切り離すことができる。このような実施形態では、切離し可能な各コンポーネントは第２のディスプレイモジュールの中に一体化することができる。
【００２８】
ユーザは、１つまたは複数の入力装置（例えば、キーボード１１０）およびポインティング装置（例えば、一例示的実施形態が特許文献４に開示されている、キーボード１１０に組み込まれたマウス３３０など）を介して、あるいはユーザ入力を提供するために使用可能な他の種類の装置などを介して携帯型コンピュータ１００に命令および情報を入力することができる。別法または追加の方法として、マウス３３０は物理的なボタンと比較されるタッチパッドとして実施することができる。他の入力装置は、キーボード１１０の横にある１つまたは複数のボタン３３２の形をとることができ、そのボタン３３２を回すことおよび押すことによって、ボタン３３２をスクロールおよびクリックのために使用することができる。他の可能な入力装置には、マイクロホン、ジョイスティック、ゲームパッド、スキャナなど（図示せず）を含めることができる。これらおよび他の入力装置は、バス３０８に結合されたシリアルポートインターフェースなどのインターフェース３３４を介して処理ユニット３０４に接続される。ただし、携帯型コンピュータ１００は、パラレルポート、ゲームポート、あるいは無線インターフェースまたはユニバーサルシリアルバス（ＵＳＢ）など、他のインターフェースを使用することもできる。インターフェース３３４は、バス３０８への任意の適切な通信インターフェースとすることができ、必ずしもポートそれ自体である必要はない。一実施形態では、マウス、ジョイスティック、ゲームパッド、キーボードなどの入力装置は、シリアルまたはパラレルポートインターフェースを介して結合可能であることに加えて、もしくはその代わりに携帯型コンピュータ１００のハウジング内に直接組み込まれる。
【００２９】
ディスプレイスクリーン１０８はメインディスプレイとして動作し、ビデオや他の画像をそのディスプレイスクリーン１０８上に表示することを可能にするビデオアダプタや他のグラフィックコンポーネントなどのグラフィックインターフェース３３６を介してバス３０８に結合される。一実施形態では、低電力ディスプレイ１１４（およびそれに関連するユーザインターフェース）はまた、携帯型コンピュータ１００の上に蓋が閉じている低電力モードの間に、データの表示（例えば、携帯型コンピュータ１００の第２の部分１０４の外側表面上の表示）を可能にするように提供することもできる。低電力ディスプレイ１１４は、グラフィックインターフェース３３６（または他のインターフェース）によってバス３０８に結合することもできるし、直接バス３０８に結合することもできる。低電力ディスプレイ１１４は、そのユーザインターフェースに様々なコントロール、例えば低電力モードで動作するアプリケーションの様々な態様を制御するために使用することができるボタンやメニューなどを提供することができる。やはり図３に示されているように、ｌｉｄスイッチ１１２をシステムバス３０８に結合して、携帯型コンピュータ１００の様々なコンポーネントが、携帯型コンピュータ１００の蓋の開／閉を検出し、それに応答できるようにすることも可能である。
【００３０】
携帯型コンピュータ１００は、１つまたは複数のリモートコンピュータ、および／または携帯型コンピュータ１００の外部に存在する装置、例えばサーバコンピューティングシステム３０２、およびプリンタやネットワーク記憶ユニットなどのネットワーク装置３４０への論理接続を使用してネットワーク環境で動作することができる。携帯型コンピュータ１００は、例えば無線ローカルエリアネットワーク（ＷＬＡＮ）３４２、無線ワイドエリアネットワーク（ＷＷＡＮ）、または他の任意のネットワーク３４４を介して各コンピュータが通信することを可能にする任意の適切な方法に基づいて１つまたは複数のリモートコンピュータシステムまたは装置に論理的に接続される。他の任意のネットワーク３４４には、インターネット（例えば、ワールドワイドウェブ）を使用するか、またはそれと通信することができる有線および無線ネットワークが含まれる。これらに限られるものではないが、電気通信ネットワーク、セルラネットワーク、ページングネットワーク、有線および無線の企業コンピュータネットワーク、イントラネット、エクストラネット、インターネット、他の種類のネットワークなど、いくつかの種類の通信ネットワークと通信するために様々な実施形態を実装することができる。携帯型コンピュータ１００が通信することができる無線システムおよびプロトコルの例には、ＷｉＦｉ、ブルートゥース、ＩＥＥＥ８０２．１１などがあるが、これらに限られるものではない。
【００３１】
ＬＡＮネットワーク環境で使用されるとき、携帯型コンピュータ１００は、（バス３０８に通信でリンクされた）アダプタまたはネットワークインターフェース３４６を介してＬＡＮ３４２に接続することができる。ＷＷＡＮまたは他のネットワーク３４４で使用されるとき、携帯型コンピュータ１００は、このネットワーク環境において通信を確立し、あるいは外部の装置と通信するためにモデム、トランシーバ３４８、またはネットワークインターフェース３４６などの他の装置を含むことができる。図３に示されるように、トランシーバ３４８はインターフェース３３４とネットワーク３４４の間に通信でリンクされる。トランシーバ３４８は、例えばＩＥＥＥ８０２．１１、ＧＰＳ、ブルートゥース、セルラ（ＴＤＭＡ、ＦＤＭＡ、および／またはＣＤＭＡ）、ＷｉＦｉ、仮想プライベートネットワーク（ＶＰＮ）、および／または他の通信標準もしくは技術に準拠する１つまたは複数の送信器、受信器、または他の通信装置とすることができる。
【００３２】
一実施形態では、携帯型コンピュータ１００は、ＬＡＮ３４２および／またはネットワーク３４４を介し、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、または他のネットワークプロトコル、例えばＵＤＰ（Ｕｓｅｒ  Ｄａｔａｇｒａｍ  Ｐｒｏｔｏｃｏｌ）などを用いてサーバコンピューティングシステム３０２に通信でリンクされる。図３に示されたネットワーク接続はコンピュータ間の通信リンクの例を示したものであり、有線リンクや無線リンクなど他のリンクを使用することもできる。
【００３３】
サーバコンピューティングシステム３０２は１つまたは複数のサーバ３５０を含む。電子メールの環境では、サーバ３５０は電子メールサーバを含むことができる。このようなサーバの例にはＭｉｃｒｏｓｏｆｔ  Ｅｘｃｈａｎｇｅ（商標）サーバがあるが、本明細書で説明する原理はＭｉｃｒｏｓｏｆｔ  Ｅｘｃｈａｎｇｅ（商標）サーバを用いた電子メール実装だけに限定されるものではない。
【００３４】
図４は、一実施形態による携帯型コンピュータ４００を示す。この携帯型コンピュータ４００では、（この実施形態で低電力対話ディスプレイモジュール（Ｌｏｗ  Ｐｏｗｅｒ  Ｉｎｔｅｒａｃｔｉｖｅ  Ｄｉｓｐｌａｙ  ｍｏｄｕｌｅ）または「ＬＩＤモジュール」と呼ぶ）第２のディスプレイモジュール４０２を携帯型コンピュータ４００の他の部分から取り外すことができる。ＬＩＤモジュール４０２を除いた携帯型コンピュータ４００の部分を、本明細書では携帯型コンピュータ４００の「主要部分（ｍａｉｎ  ｐｏｒｔｉｏｎ）」と呼ぶ。一実施形態では、ＬＩＤモジュール４０２は、第２の部分１０４（図２）に類似しており、携帯型コンピュータ４００の一部に着脱可能に取り付けられる。他の実施形態では、ＬＩＤモジュール４０２は携帯型コンピュータ４００の他の部分に着脱可能に取り付けることができる。この実施形態では、携帯型コンピュータ４００の主要部分は、先に説明したメインディスプレイ１０８、プロセッサユニット３０４、ＢＩＯＳ３１４、システムメモリ３０６に加えて、バッテリ４０４、無線ネットワークユニット４０８、およびサイドホイール（ｓｉｄｅ  ｗｈｅｅｌ）４１０を含む。いくつかの実施形態では、無線ネットワークユニット４０８は、ＩＥＥＥ標準８０２．１１ｂおよび／または８０２．１１ｇに準拠する無線ネットワーク機能を提供する。サイドホイール４１０は、メインディスプレイ１０８またはＬＩＤモジュール４０２上の低電力ディスプレイ１１４に表示されるデータを、ユーザがスクロールすることを可能にする入力装置である。
【００３５】
この実施形態では、ＬＩＤモジュール４０２は、先に説明した低電力プロセッサユニット３１０、および低電力ディスプレイ１１４を含む。一実施形態では、低電力処理ユニット３１０は、組込みＡＲＭ７コア（英国、ケンブリッジ市のＡＲＭ社から入手可能）、不揮発性および揮発性メモリ、ブルートゥース回路、およびＲＦ回路を含む特定用途向け集積回路デバイスである。いくつかの実施形態では、ＬＩＤモジュール４０２の低電力処理ユニット３１０および他の回路は、ＵＳＢ４３０など１つまたは複数のＵＳＢ（ｕｎｉｖｅｒｓａｌ  ｓｅｒｉａｌ  ｂｕｓ）接続を介して携帯型コンピュータ４００の他の部分と通信することができる。さらに、いくつかの実施形態では、低電力処理ユニット３１０は、Ｉ２Ｃ（Ｉｎｔｅｒ−Ｉｎｔｅｇｒａｔｅｄ  ｃｉｒｃｕｉｔ）バス４３２を介して携帯型コンピュータ４００の他の部分の回路と通信することができる。
【００３６】
ＬＩＤモジュール４０２のこの実施形態はまた、キーパッド４２０、ワイドエリアネットワーク（ＷＡＮ）モジュール４２２、およびリムーバブルデータ記憶装置４２４を含む（例えば、ＬＩＤモジュール４０２は、ＳＤ（ｓｅｃｕｒｅ  ｄａｔａ）カードまたは他のリムーバブル記憶媒体を含むことができる）。ＷＡＮモジュール４２２は、音声およびデータ情報の無線通信のためのセルラモジュールおよび／またはＧＰＳ（グローバルポジショニングシステム）を含むことができる。いくつかの実施形態では、ＬＩＤモジュール４０２は、携帯型コンピュータ４００の主要部分から取り外すことができる。したがって、ＷＡＮモジュール４２２はＬＩＤモジュール４０２にスタンドアロンの携帯電話機能およびＧＰＳ機能を提供する。いくつかの実施形態では、リムーバブルデータ記憶装置４２４および／またはＷＡＮモジュール４２２を省略することができる。
【００３７】
図５は携帯型コンピュータ４００およびＬＩＤモジュール４０２のソフトウェアコンポーネントの構成図である。この実施形態では、携帯型コンピュータ４００の主要部分はＬＩＤインターフェースモジュール５０２を含む。このＬＩＤインターフェースモジュール５０２は、携帯型コンピュータ４００とＬＩＤモジュール４０２の間の制御とデータを転送するために使用されるＬＩＤモジュールアプリケーションプロトコルをサポートする。この例示的実施形態では、携帯型コンピュータ４００は、低電力メディアプレーヤ５０４および関連する「通常の（ｎｏｒｍａｌ）」または標準のメディアプレーヤ５０５（例えば、米国ワシントン州レドモンドのＭｉｃｒｏｓｏｆｔ  Ｃｏｒｐ．から入手可能なＷｉｎｄｏｗｓ（登録商標）Ｍｅｄｉａ  Ｐｌａｙｅｒ）、低電力電子メールアプリケーション５０６および関連する通常の電子メールアプリケーション５０７（例えば、Ｍｉｃｒｏｓｏｆｔから入手可能なＯｕｔｌｏｏｋ）、ならびに低電力ボイスメモアプリケーション５１０および関連する通常のボイスメモアプリケーション５１１も含む。携帯型コンピュータ４００はまた、例えば低電力アプリケーション５１４および通常のアプリケーション５１５など低電力および「通常の」アプリケーションからなる１つまたは複数の他のペア、ならびにオペレーティングシステム（ＯＳ）５２０および先に説明したＢＩＯＳ３１４を含むこともできる。ＯＳ５２０は、Ｍｉｃｒｏｓｏｆｔ  Ｗｉｎｄｏｗ（登録商標）、Ｌｉｎｕｘ、Ｍａｃ  ＯＳなど任意の適切なオペレーティングシステムとすることができる。
【００３８】
この実施形態では、携帯型コンピュータ４００はまた、ＧＰＳ受信機（例えば、図４に関して先に説明したＷＡＮモジュール４２２に一体化されたＧＰＳ受信機）から受信したＧＰＳ情報を表示するＧＰＳアプリケーション５２２、ならびに他のブルートゥース装置（例えば、ある種のヘッドホン、キーボード、携帯電話、携帯情報端末など）との無線通信をサポートする（ブルートゥースプロファイルおよびサービス、プロトコルスタック、ならびにドライバを含む）ブルートゥースモジュール５２４も含む。
【００３９】
この実施形態では、ＬＩＤモジュール４０２は、ＬＩＤモジュール４０２上で実行されるアプリケーション５３０、ユーザがＬＩＤモジュール４０２のアプリケーション５３０や他のモジュールと対話するためのアイコン、ボタン、情報などを表示するグラフィカルユーザインターフェース（ＧＵＩ）フレームワーク５３２、デバイスドライバ５３４、低電力プロセッサユニット３１０（図４）によって実行されるリアルタイムオペレーティングシステム（ＲＴＯＳ）５３６、ブルートゥースモジュール５４４（ブルートゥース対応装置と対話するためのプロファイル、スタック等を含む）、ＷＡＮモジュール４２２の携帯電話回路を動作させるセルラモジュール５４６、ＷＡＮモジュール４２２のＧＰＳ回路を動作させるＧＰＳモジュール５４２を含む。ＲＴＯＳ５３６は、低電力プロセッサユニット３１０（図３）に適する任意の種類のＲＴＯＳとすることができる。一実施形態では、リアルタイムオペレーティングシステム５３６およびオペレーティングシステム５２０は、システムメモリ３０６内の１つまたは複数のオペレーティングシステム３２０であってもよい。
【００４０】
図６はＬＩＤモジュール４０２の低電力ディスプレイ１１４によって表示される例示的ＵＩを示す。図６では、ＬＩＤモジュール４０２は携帯型コンピュータ４００の主要部分に取り付けられており、例示的キーパッド４２０を含む。この実施形態では、低電力ディスプレイ１１４はＵＩを表示し、このＵＩもやはりいくつかの対話画面を含む。これらの画面は主ＵＩ画面を含み、その一例を図６に示す。主ＵＩ画面から、ユーザはＵＩによってサポートされる様々な機能を提供する各機能画面（ｆｅａｔｕｒｅ  ｓｃｒｅｅｎ）など他の画面（図示せず）に移動することができる。この実施形態では、主ＵＩ画面は、アイコンおよび／または（低電力ディスプレイ１１４がタッチスクリーンディスプレイである各実施形態においては）タッチ式ボタン（ｔｏｕｃｈ−ｓｅｎｓｉｔｉｖｅ  ｂｕｔｔｏｎ）６０１〜６０８を含む。本明細書ではアイコンおよびタッチ式ボタンのことをボタンと呼ぶ。これらのボタンの諸実施形態については以下で説明する。ボタンが起動されたとき主ＵＩ画面は起動された機能に対する機能画面（例えば、主電子メール画面、主予定表（ｃａｌｅｎｄａｒ）画面など）に移動する。
【００４１】
ボタン６０１は、電子メールアプリケーション５０７（図５）を起動することなく、ＬＩＤモジュール４０２を介して電子メールの機能のストリームラインセット（ｓｔｒｅａｍｌｉｎｅｄ  ｓｅｔ）にアクセスするための受信箱ボタンである。一実施形態では、ユーザがＬＩＤモジュール４０２上にローカルにキャッシュされた電子メール情報だけを見たい場合は、ＯＳ５２０（図５）は起動されない。この動作については、以下で図７と併せて一般的なアプリケーションに関して説明する。電子メールアプリケーション５０７およびＯＳ５２０の起動を避けることによって、この機能は携帯型コンピュータ４００の電力消費を大幅に削減することを可能にする。
【００４２】
一実施形態では、受信箱ボタン６０１を起動することによって、ユーザが新しいメッセージを選択的にチェックし、受信箱内のメッセージを読み、個々のメッセージを削除し、各メッセージを既読または未読とマークすることが可能になる。主電子メール画面は、上記の電子メールの各動作ごとに異なる画面に切り換わる。ポップアップメニューによって追加の選択機能を表示することができる（このことについては、後で図８と併せてさらに説明する）。この実施形態では、より複雑な電子メール動作は、携帯型コンピュータ４００の主要部分によって電子メールアプリケーション５０７を起動することで実施することができる。
【００４３】
ボタン６０２は、ＬＩＤモジュール４０２の選択された各機能をカスタマイズするための設定ボタンである。一実施形態では、設定ボタン６０２を使用して、セキュリティ機能（例えば、セキュリティコード／パスワード、セキュリティタイマなど）を設定し、ＬＩＤモジュール４０２の無線機能（例えば、ブルートゥース、無線通信、携帯電話、ＷｉＦｉ機能などの有効／無効）を設定し、表示設定（例えば、バックライトタイマ、フォントサイズ、コントラスト、スクロールレートなど）を変更し、音声設定（例えば、電子メール通知、低電力警告など）を変更することができる。
【００４４】
ボタン６０３は、予定表アプリケーションを起動することなく、ＬＩＤモジュール４０２を介して予定表機能のストリームラインセットにアクセスするための予定表ボタンである。例えば、アプリケーション５１４（図５）は、予定表アプリケーションであっても、あるいは予定表機能を含む電子メールアプリケーション５０７の一部であってもよい。この実施形態では、予定表ボタン６０３を用いることで、ユーザが予定表入力を見ること、およびその予定表に入力された各イベントのメモ書き（ｒｅｍｉｎｄｅｒ）を受信することが可能になる。一実施形態では、ＬＩＤモジュール４０２は、事前に選択された期間（例えば、５週間）の予定表情報をローカルにキャッシュする。主予定表画面から、ユーザは特定の月または週または日の予定表情報を表示する追加の画面を見ることができる。主予定表画面は、ユーザが予定表をスクロールすることを可能にするボタンを表示することができる。これらの追加の画面はまた、ユーザがメモ書き（例えば、予定表に入力した予約）の詳細を示す他の画面に移動することを可能にするボタンを含むこともできる。
【００４５】
ボタン６０４は、キーパッド４２０および低電力ディスプレイ１１４によって表示されたボタンのほとんどのキーを無効にして、ＬＩＤモジュール４０２の不注意な動作を防止するためのロックキーパッドボタンである。ＬＩＤモジュール４０２は、キーパッド４２０の事前選択された一連のキーを押すことによってロック解除することができる。一実施形態では、ユーザはＬＩＤモジュール４０２をロック解除できるようにする前に、セキュリティコードまたはパスワードの入力を要求するオプションを選択することができる。
【００４６】
ボタン６０５は、無線通信機能（例えば、ブルートゥース機能、ＷｉＦｉ機能、携帯電話機能など）をオン／オフするための無線オン／オフ（フライトモード）ボタンである。この機能は、有利には（一般にフライト中は無線通信動作が禁止される）飛行機のフライト中に使用することができる。この機能は、ユーザが携帯型コンピュータ４００の他の（非無線）機能を使用している間でさえも、禁止されている無線通信機能がオフになっていることを確認するための迅速で容易な方法を提供する。
【００４７】
ボタン６０６は、連絡先（ｃｏｎｔａｃｔ）アプリケーションを起動することなく、ＬＩＤモジュール４０２を介して連絡先機能のストリームラインセットにアクセスするための連絡先ボタンである。例えば、アプリケーション５１４（図５）は、連絡先アプリケーションであっても、あるいは連絡先機能を含む電子メールアプリケーション５０７の一部であってもよい。この実施形態では、連絡先ボタン６０６により、ユーザが、連絡先主画面に表示されたボタンを用いて連絡先名の最初の数文字を入力することによって連絡先入力を検出し確認することが可能になる。主連絡先画面はまた、連絡先をどのように表示するか（例えば、姓または名、会社名、電話番号等によってソートするなど）をユーザが選択することを可能にするボタンを表示することもできる。連絡先を表示する画面はまた、ユーザが連絡先に関するより詳細な連絡先情報を表示する他の画面に移動することを可能にするボタンを含むこともできる。
【００４８】
ボタン６０７は、メディアプレーヤアプリケーションを起動することなく、ＬＩＤモジュール４０２を介してオーディオプレーヤ機能のストリームラインセットにアクセスするためのオーディオプレーヤボタンである。この実施形態では、オーディオプレーヤボタン６０７は、ユーザがオーディオファイルをブラウズし再生することを可能にするものである。主オーディオプレーヤ画面から、ユーザは一連の画面をナビゲートして特定のオーディオトラックまたはファイルを見つけることができる。一実施形態では、オーディオプレーヤボタン６０７が起動されたとき、ＬＩＤモジュール４０２は、ユーザがライブラリをブラウズすることを可能にするボタンを備えたオーディオライブラリ画面を表示する。例えば、オーディオライブラリ画面には、アーティスト、アルバム、ジャンル、トラック、ユーザ定義の演奏リスト、全トラックなどによってブラウズするためのボタンを含めることができる。ブラウジング方法を選択した後で、ＬＩＤモジュールはアーティスト、アルバム、ジャンル等を示すとともに、ユーザが表示されたアーティスト、アルバム等をスクロールまたはナビゲートすることを可能にするボタンを備えた画面を表示する。次いで、ユーザは、アーティスト、アルバム等を選択し、その結果としてＬＩＤモジュールにその選択に関連するトラックを表示させることができる。次に、ユーザは画面上に表示された「再生」ボタンを起動して、トラックを再生することができる。いくつかの実施形態では、ユーザは、タイトル、アーティスト、作曲家、アルバム、トラックサイズ（ＫＢまたはＭＢ単位で）、再生時間、ビットレートなどのトラック情報を表示する追加の画面に移動することができる。いくつかの実施形態では、ユーザはまた、ユーザがオーディオプレーヤに関する設定（例えば、音量、繰り返し、シャッフルなど）を変更することを可能にする追加の画面に移動することもできる。
【００４９】
ボタン６０８は、ボイスメモアプリケーション５１１を起動することなく、ＬＩＤモジュール４０２を介してボイスメモ機能のストリームラインセットにアクセスするためのボイスメモボタンである。この実施形態では、ボイスメモボタン６０８により、ユーザがＬＩＤモジュール４０２を介してボイスメモを記録し再生することが可能になる。一実施形態では、ＬＩＤモジュール４０２にボイスメモが格納されていない場合は、ボイスメモボタン６０８を起動することによって「メモ記録」画面が表示される。格納されたボイスメモが存在する場合は、その代わりに「メモ表示」画面が表示される。
【００５０】
一実施形態では、「メモ記録」画面は、ユーザが記録を開始し、一時停止し、停止することを可能にするボタンを表示する。この画面はまた、メモの記録時に存続期間を表示することもできる。一実施形態では、停止ボタンが起動されたときに、ＬＩＤモジュール４０２は「メモ表示」画面を自動的に表示する。
【００５１】
「メモ表示」画面は格納されたすべてのボイスメモをリストアップし、表示されたメモを再生し、削除するためのボタンを表示する。この画面はまた、新しいメモを記録するためのボタンを含み、このボタンによりＬＩＤモジュール４０２に前述の「メモ記録」画面を表示させる。ユーザが再生ボタンを起動したときは、ＬＩＤモジュールは再生、一時停止、および停止ボタン、ならびにメモの残された継続時間を示す図を表示する。
【００５２】
図７は、携帯型コンピュータ４００（図５）の主要部分に存在するアプリケーションを開始するときの、ＬＩＤモジュール４０２（図５）の動作フローを示す流れ図である。一実施形態では、これらの動作は、ユーザがＬＩＤモジュール４０２の主ＵＩ画面（例えば、図６に示された主ＵＩ画面参照）上のボタンを起動したことに応答して、ＬＩＤモジュール４０２が携帯型コンピュータ４００の主要部分に存在する（例えば、その情報がＬＩＤモジュール４０２にキャッシュされていない）情報にアクセスしたときに開始される。
【００５３】
図５および図７を参照すると、ブロック７０２で、ＬＩＤモジュール４０２はアプリケーションを開始するための信号を受信する。この実施形態では、ＬＩＤモジュール４０２は、主ＵＩ画面（図６）に表示されたボタンをユーザが起動したときにこのような信号を受信することができる。例えば、ユーザが受信箱ボタン６０１を起動した場合には、ＬＩＤモジュール４０２のＧＵＩフレームワーク５３２は携帯型コンピュータ４００の主要部分上の電子メールアプリケーションを開始するための信号を受信することになる。
【００５４】
ブロック７０４で、ＬＩＤモジュール４０２は、携帯型コンピュータ４００の主要部分のＯＳ５２０がアクティブであるかどうかを判定する。判定ブロック７０６で、ＯＳ５２０がアクティブでないとＬＩＤモジュール４０２が判定した場合は、動作フローはブロック７０８に続き、そのブロックでＬＩＤモジュール４０２はウェイクアップ信号を携帯型コンピュータ４００の主要部分に送信する。一実施形態では、低電力処理ユニット３１０（図４）は、ＬＩＤインターフェースモジュール５０２をバイパスして、ウェイクアップ信号を携帯型コンピュータ４００の主要部分のＢＩＯＳ３１４に送信する。次に、携帯型コンピュータ４００の主要部分は、ＬＩＤインターフェースモジュール５０２を介して、ＯＳ５２０がアクティブであるというメッセージをＬＩＤモジュール４０２に送信することができる。次に、動作フローはブロック７０６に戻る。ブロック７０６で、ＯＳ５２０がアクティブであるとＬＩＤモジュール４０２が判定した場合は、動作フローはブロック７１０に続く。
【００５５】
ブロック７１０で、ＬＩＤモジュール４０２は、ＬＩＤインターフェースモジュール５０２を介して携帯型コンピュータ４００の主要部分にアプリケーション開始信号またはメッセージを送信する。この実施形態では、ＬＩＤインターフェースモジュール５０２は、「フル」アプリケーションに関連する低電力アプリケーション５１４を起動させ、フルアプリケーションは起動しないままにしておく。先に説明したように、この機能を用いることで、ＬＩＤモジュール４０２が携帯型コンピュータ４００の電力消費を低減すること、および「フル」アプリケーションの１つまたは複数の機能を提供しながら低電力アプリケーション５１４に関連するデータへのアクセスを提供することが可能になる。一般に、低電力アプリケーション５１４は、対応するフルアプリケーションによって提供される機能のサブセットを提供するが、いくつかの実施形態では、低電力アプリケーション５１４はフルアプリケーションによってサポートされていない機能を提供することができる。ブロック７０２と併せて説明した電子メールの例を続けると、低電力電子メールアプリケーション５０６は、電子メールアプリケーション５０７を開始することなく開始されることになる。このことは、２００４年６月１７日に出願された「ＬＯＷ  ＰＯＷＥＲ  ＥＭＡＩＬ  ＦＵＮＣＴＩＯＮＡＬＩＴＹ  ＦＯＲ  ＡＮ  ＥＬＥＣＴＲＯＮＩＣ  ＤＥＶＩＣＥ」と題する係属中の特許文献６に開示されており、この開示を参照により本明細書に組み込む。
【００５６】
低電力アプリケーション５０６の準備ができると、ブロック７１２で、ＬＩＤモジュール４０２は、ＬＩＤインターフェースモジュール５０２を介して、コマンド（例えば、データ要求）を含むメッセージを低電力アプリケーションに送信する。例えば、携帯型コンピュータ４００の主要部分は、次のメッセージまたはコマンドに対して低電力アプリケーションが準備完了／準備未完了であることを指示するメッセージを送信することができる。次に、ＬＩＤモジュール４０２は、ユーザが（先に、図６と併せて説明した）ＵＩの「機能」画面に表示されたボタンを起動したことに応答して、メッセージを送信することができる。
【００５７】
次に、ブロック７１４で、ＬＩＤモジュール４０２は、ＵＩ（例えば、先に図６と併せて説明したアプリケーションの「機能」画面の１つ）に表示すべきデータをＬＩＤインターフェースモジュール５０２を介して受信する。
【００５８】
ブロック７１６で、次にＬＩＤモジュール４０２は、ブロック７１４で送信したメッセージに応答して携帯型コンピュータ４００の主要部分から受信したデータを用いて、低電力ディスプレイ１１４（図４）に表示されるＵＩを更新する。この実施形態では、ＧＵＩフレームワーク５３２がＵＩ中の受信したデータの表示を処理する。次に、動作フローは、ユーザがセッションを終了するまではブロック７１２に戻ることができる。
【００５９】
図８は、一実施形態による、ＬＩＤモジュール４０２のＵＩに表示される一例示的ポップアップメニューを示す。この例では、受信箱ボタン６０１が起動されたとき、ＬＩＤモジュール４０２は（図６と併せて先に説明した）主電子メール画面８０２を表示する。ユーザが特定の電子メールメッセージを選択したとき（例えば、最初の電子メールメッセージの強調表示が、そのメッセージが選択されていることを示す）、ポップアップメニュー８０４が表示される。このポップアップメニューを用いて、ユーザは実施されるいくつかの可能な動作のうちの１つ（例えば、削除、既読とマークなど）を選択する。電子メールの例が示されているが、ポップアップメニューはＵＩの主画面から起動できる他の機能に関しても使用することができる。
【００６０】
図９は、一実施形態による、携帯型コンピュータ４００の主要部分から取り外されたときに、ＬＩＤモジュール４０２によって表示されるＵＩの表示方向再設定を示す。この実施形態では、ＬＩＤモジュール４０２が取り付けられたとき、ＵＩは、表示されたボタンが「横長」方向（すなわち、各ボタンの頭部がＬＩＤモジュール４０２の長い側面の１つを向く状態）になるように向けられる。この横長方向は図６に示されている。ＬＩＤモジュール４０２が携帯型コンピュータ４００の主要部分から取り外されたとき、ＵＩは自動的に「縦長」方向（すなわち、各ボタンの頭部がＬＩＤモジュール４０２の短い側面の１つを向く状態）に再設定される。一実施形態では、縦長方向でのキーパッド４２０は低電力ディスプレイ１１４の下部に配置される。この機能により、ＬＩＤモジュール４０２に、一般的な携帯電話（すなわち、ＬＣＤディスプレイの下にキーパッドを備えた携帯電話）と類似の構成を持たせる。
【００６１】
他の実施形態では、ユーザはＬＩＤモジュール４０２によって表示されるＵＩの向きを選択的に再設定することができる。例えば、ＬＩＤモジュール４０２の携帯電話機能の１つを使用するときは、ＬＩＤモジュール４０２が携帯型コンピュータ４００の主要部分に取り付けられている場合でさえも、ＵＩを自動的に縦長方向に再設定するようにＬＩＤモジュール４０２を構成することができる。他の実施形態では、ＬＩＤモジュール４０２はＬＩＤモジュール４０２の方向（例えば、重力の方向に対するＬＩＤモジュール４０２の方向）を検出できるコンポーネントを含み、方向の変化に応答してＬＩＤモジュール４０２のＵＩの方向を自動的に調整することもできる。
【００６２】
本明細書では、様々なモジュールや技術を、１つまたは複数のコンピュータまたは他の装置によって実行される、プログラムモジュールなどのコンピュータ実行可能な命令の一般的な環境で説明することができる。一般に、プログラムモジュールは、特定のタスクを実施するかまたは特定の抽象データ型を実装するためのルーチン、プログラム、オブジェクト、コンポーネント、データ構造などを含む。一般に、プログラムモジュールの機能は、様々な実施形態において必要に応じて組み合わせること、または分散させることができる。
【００６３】
これらのモジュールや技術の実装は、ある形式のコンピュータ可読媒体で格納または送信することができる。コンピュータ可読媒体は、コンピュータによってアクセスできる任意の市販の媒体とすることができる。限定の意味ではなく例として、コンピュータ可読媒体は「コンピュータ記憶媒体」および「通信媒体」を含むことができる。
【００６４】
「コンピュータ記憶媒体」は、コンピュータ可読命令、データ構造、プログラムモジュール、その他のデータなどの情報を記憶するための任意の方法または技術で実装された、揮発性および不揮発性、リムーバブルおよび非リムーバブルの媒体を含む。コンピュータ記憶媒体には、これらに限定されるものではないが、ＲＡＭ、ＲＯＭ、ＥＥＰＲＯＭ、フラッシュメモリ、または他のメモリ技術製品、ＣＤ−ＲＯＭ、ＤＶＤ（ｄｉｇｉｔａｌ  ｖｅｒｓａｔｉｌｅ  ｄｉｓｋ）、または他の光学記憶装置、磁気カセット、磁気テープ、磁気ディスク記憶装置、または他の磁気記憶装置、あるいは所望の情報を格納するために使用することができ、コンピュータによってアクセス可能な他の任意の媒体を含む。
【００６５】
「通信媒体」は一般に、コンピュータ可読命令、データ構造、プログラムモジュール、または他のデータなどを、搬送波または他の伝送機構などの被変調データ信号の形で実施する。通信媒体はまた、いずれかの情報伝達媒体を含む。「被変調データ信号」という用語は、情報を信号中に符号化するような方法で設定または変更された、１つまたは複数の信号特性を含む信号を意味する。単に非限定的な例として、通信媒体は、有線ネットワークまたは直接有線接続などの有線媒体、ならびに音響、ＲＦ、赤外、および他の無線媒体などの無線媒体を含む。上記の任意の組合せもまた、コンピュータ可読媒体の範囲内に含まれる。
【００６６】
本明細書を通して、「一実施形態」、「ある実施形態」、または「一例示的実施形態」と記載されている場合は、記載した特定の機能、構造、または特性が本発明の少なくとも１つの実施形態に含まれることを意味する。したがって、これらの語句の使用は、単に１つの実施形態だけを意味するのではなく、それ以上の実施形態を意味することがある。さらに、記載の機能、構造、または特性は、１つまたは複数の実施形態の中に任意の適切な方法で組み合わせることもできる。
【００６７】
しかし、当業者ならば、本発明が１つまたは複数の特定の詳細を用いることなく実施できること、すなわち他の方法、リソース、材料等を用いて実施できることを理解できるはずである。他の実施例では、単に本発明の諸態様を曖昧にすることを避けるために、周知の構造、リソース、または動作については詳細には図示または説明していない。
【００６８】
例示的な実施形態および適用例について図示し説明してきたが、本発明が上記の構成やリソースそのものに限定されるものではないことを理解されたい。本明細書に開示された本発明の方法およびシステムの構成、動作、および詳細については、特許請求の範囲に記載した本発明の範囲から逸脱することなく、当業者にとって明らかであるような様々な修正形態、変更形態、および変形形態を実施することが可能である。
【図面の簡単な説明】
【００６９】
【図１】メインディスプレイがユーザの目に見える状態で開かれたモバイル電子装置の斜視図である。
【図２】第２のディスプレイがユーザの目に見える状態で閉じられたモバイル電子装置の斜視図である。
【図３】第２のディスプレイモジュールを備え、ネットワークに結合されたモバイル電子装置のブロック図である。
【図４】モバイル電子装置の他の部分から取り外すことができる第２のディスプレイモジュールのブロック図である。
【図５】モバイル電子装置および第２のディスプレイモジュールのソフトウェアコンポーネントのブロック図である。
【図６】第２のディスプレイモジュールによって表示される一例示的ＵＩを示す図である。
【図７】モバイル電子装置上でアプリケーションを開始する際の、第２のディスプレイモジュールの動作フローを示す流れ図である。
【図８】第２のディスプレイモジュールのＵＩに表示された一例示的ポップアップメニューを示す図である。
【図９】第２のディスプレイモジュールによって表示されたＵＩの表示方向の再設定を示す図である。
【図１】
2007506196.tif 000003
【図２】
2007506196.tif 000004
【図３】
2007506196.tif 000005
【図４】
2007506196.tif 000006
【図５】
2007506196.tif 000007
【図６】
2007506196.tif 000008
【図７】
2007506196.tif 000009
【図８】
2007506196.tif 000010
【図９】
2007506196.tif 000011
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
モバイル電子装置の第２のディスプレイモジュールによって実施される方法であって、前記モバイル電子装置は前記第２のディスプレイユニットの外部に存在するメインディスプレイおよびプロセッサユニットを有し、前記プロセッサユニットはオペレーティングシステム（ＯＳ）を有し、前記方法は、
前記第２のディスプレイモジュールのディスプレイ上に、前記モバイル電子装置上で選択的に起動することができる複数のアプリケーションに対応する複数のボタンを有するＵＩを表示すること、および
前記複数のボタンのうちの１つのボタンの起動に応答して、前記プロセッサユニットの前記ＯＳを起動することなく、前記モバイル電子装置上に存在しかつ前記第２のディスプレイモジュールの外部に存在するアプリケーションに関連するデータにアクセスすること
を備えることを特徴とする方法。
【請求項２】
前記複数のボタンのうちの１つのボタンの起動により、前記ＯＳと前記起動されたボタンに対応する前記アプリケーションに関連する低電力アプリケーションとを選択的に起動し、前記低電力アプリケーションを、それに対応するアプリケーションを起動することなく起動することを特徴とする請求項１に記載の方法。
【請求項３】
前記複数のボタンは、ユーザによる起動に応答して前記モバイル電子装置に含まれるすべての無線通信コンポーネントを使用不可にするアプリケーションに対応した１つのボタンを含むことを特徴とする請求項１に記載の方法。
【請求項４】
前記モバイル電子装置の前記無線通信コンポーネントが使用不可である間に、前記モバイル電子装置の他のコンポーネントを選択的に動作させることを特徴とする請求項３に記載の方法。
【請求項５】
前記第２のディスプレイモジュールが前記モバイル電子装置から取り外されたことに応答して、前記ＵＩを自動的に起動させることをさらに備えることを特徴とする請求項１に記載の方法。
【請求項６】
前記第２のディスプレイモジュール内部の前記ＵＩの表示方向を変更することをさらに備えることを特徴とする請求項１に記載の方法。
【請求項７】
前記第２のディスプレイモジュールの方向の変化に応答して、前記ＵＩの表示方向を自動的に変化させることをさらに備えることを特徴とする請求項６に記載の方法。
【請求項８】
前記第２のディスプレイモジュールが前記モバイル電子装置から取り外されたことに応答して、前記ＵＩの表示方向を自動的に変化させることをさらに備えることを特徴とする請求項６に記載の方法。
【請求項９】
前記モバイル電子装置の前記メインディスプレイが起動されたことに応答して、前記第２のディスプレイモジュールの前記ＵＩを自動的に停止させることをさらに備えることを特徴とする請求項１に記載の方法。
【請求項１０】
前記モバイル電子装置の前記メインディスプレイが停止されたことに応答して、前記第２のディスプレイモジュールの前記ＵＩを自動的に起動させることをさらに備えることを特徴とする請求項１に記載の方法。
【請求項１１】
モバイル電子装置の第２のディスプレイモジュールによって実施される命令を有するコンピュータ可読媒体であって、前記モバイル電子装置は前記第２のディスプレイモジュールの外部に存在するメインディスプレイおよびプロセッサユニットを有し、前記プロセッサユニットはオペレーティングシステム（ＯＳ）を有し、前記命令は、前記第２のディスプレイモジュールによって実施されたときに、
前記モバイル電子装置上で選択的に起動できる複数のアプリケーションに対応する複数のボタンを有するＵＩを前記第２のディスプレイモジュールのディスプレイ上に表示する動作と、
前記複数のボタンのうちの１つのボタンの起動に応答して、前記プロセッサユニットの前記ＯＳを起動することなく、前記モバイル電子装置上に存在しかつ前記第２のディスプレイモジュールの外部に存在するアプリケーションに関連するデータにアクセスする動作と
を含む諸動作を前記第２のディスプレイモジュールに実施させることを特徴とするコンピュータ可読媒体。
【請求項１２】
前記複数のボタンのうちの１つのボタンの起動により、前記ＯＳと前記起動されたボタンに対応する前記アプリケーションに関連する低電力アプリケーションとを選択的に起動し、前記低電力アプリケーションを、それに対応するアプリケーションを起動することなく起動することを特徴とする請求項１１に記載のコンピュータ可読媒体。
【請求項１３】
前記複数のボタンは、ユーザによる起動に応答して前記モバイル電子装置に含まれるすべての無線通信コンポーネントを使用不可にするアプリケーションに対応した１つのボタンを含むことを特徴とする請求項１１に記載のコンピュータ可読媒体。
【請求項１４】
前記モバイル電子装置の前記無線通信コンポーネントが使用不可である間に、前記モバイル電子装置の他のコンポーネントを選択的に動作させることを特徴とする請求項１３に記載のコンピュータ可読媒体。
【請求項１５】
前記諸動作は、前記第２のディスプレイモジュールが前記モバイル電子装置から取り外されたことに応答して、前記ＵＩを自動的に起動させる動作をさらに備えることを特徴とする請求項１１に記載のコンピュータ可読媒体。
【請求項１６】
前記諸動作は、前記第２のディスプレイモジュール内部の前記ＵＩの表示方向を選択的に変更する動作をさらに備えることを特徴とする請求項１１に記載のコンピュータ可読媒体。
【請求項１７】
前記諸動作は、前記第２のディスプレイモジュールの方向の変化に応答して、前記ＵＩの表示方向を自動的に変化させる動作をさらに備えることを特徴とする請求項１６に記載のコンピュータ可読媒体。
【請求項１８】
前記諸動作は、前記第２のディスプレイモジュールが前記モバイル電子装置から取り外されたことに応答して、前記ＵＩの表示方向を自動的に変化させる動作をさらに備えることを特徴とする請求項１６に記載のコンピュータ可読媒体。
【請求項１９】
前記諸動作は、前記モバイル電子装置の前記メインディスプレイが起動されたことに応答して、前記第２のディスプレイモジュールの前記ＵＩを自動的に停止する動作をさらに備えることを特徴とする請求項１１に記載のコンピュータ可読媒体。
【請求項２０】
前記諸動作は、前記モバイル電子装置の前記メインディスプレイが停止されたことに応答して、前記第２のディスプレイモジュールの前記ＵＩを自動的に起動させる動作をさらに備えることを特徴とする請求項１１に記載のコンピュータ可読媒体。
【請求項２１】
第２のディスプレイモジュール、ならびに前記第２のディスプレイモジュールの外部に存在するメインディスプレイおよびプロセッサユニットを有するモバイル電子装置を備えるシステムであって、前記プロセッサユニットはオペレーティングシステム（ＯＳ）を有し、前記第２のディスプレイモジュールは、
前記モバイル電子装置上で選択的に起動できる複数のアプリケーションに対応する複数のボタンを表示する手段と、
前記複数のボタンのうちの１つのボタンの起動に応答して、前記プロセッサユニットの前記ＯＳを起動することなく、前記モバイル電子装置上に存在するアプリケーションに関連するデータにアクセスする手段と
をさらに含むことを特徴とするシステム。
【請求項２２】
前記データにアクセスする手段が、前記ＯＳと前記起動されたボタンに対応する前記アプリケーションに関連する低電力アプリケーションとを選択的に起動し、前記低電力アプリケーションが、それに対応するアプリケーションを起動することなく起動されることを特徴とする請求項２１に記載のシステム。
【請求項２３】
前記表示手段は、ユーザによる起動に応答して前記モバイル電子装置に含まれるすべての無線通信コンポーネントを使用不可にするアプリケーションに対応した１つのボタンを含むことを特徴とする請求項２１に記載のシステム。
【請求項２４】
前記モバイル電子装置の前記無線通信コンポーネントが使用不可である間に、前記モバイル電子装置の他のコンポーネントを選択的に動作させることを特徴とする請求項２３に記載のシステム。
【請求項２５】
前記第２のディスプレイモジュールが前記モバイル電子装置から取り外されたことに応答して、前記表示手段を自動的に起動させる手段をさらに備えることを特徴とする請求項２１に記載のシステム。
【請求項２６】
前記第２のディスプレイモジュール内部の前記表示手段の表示方向を選択的に変更する手段をさらに備えることを特徴とする請求項２１に記載のシステム。
【請求項２７】
前記表示方向を選択的に変更する手段は、前記第２のディスプレイモジュールが前記モバイル電子装置から取り外されたことに応答して、前記表示手段の前記表示方向を自動的に変更することを特徴とする請求項２６に記載のシステム。
【請求項２８】
前記モバイル電子装置の前記メインディスプレイが起動されたことに応答して、前記表示手段を自動的に停止させる手段をさらに備えることを特徴とする請求項２１に記載のシステム。
【請求項２９】
前記モバイル電子装置の前記メインディスプレイが停止されたことに応答して、前記表示手段を自動的に起動させる手段をさらに備えることを特徴とする請求項２１に記載のシステム。
【国際調査報告】
2007506196.tif 000012
2007506196.tif 000013
2007506196.tif 000014